(57)【要約】【課題】たとえば基礎に埋設するアンカーボルトを捨コン上に立設するときのような場合に、安定した固定状態を確実に得られるとともに、必要に応じて水平位置の調整も、水平出しも容易に行えるようにする固定装置の提供。【解決手段】被固定部３１から突出したボルト２１に螺合されるナット部４１と、該ナット部４１で締め付けられる被締め付け面５３を有するとともに、前記ボルト２１の直径よりも大径の貫通孔５２を有した環状の介装部５１と、該介装部５１を当該凸球面６２に沿って摺動可能に受けるべく介装部５１側に突出する凸球面６２、および前記被固定部３１の被締め付け面３２に当接する平らな当接面６３を有し、前記ボルト２１を通す貫通孔６４を有した座金部６１を備えた自在固定装置。【選択図】図１
2011052487.tif 000002
【特許請求の範囲】
【請求項１】
被固定部から突出した軸部に螺合されるナット部と、
該ナット部で締め付けられる被締め付け面を有するとともに、前記軸部の直径よりも大径の貫通孔を有した環状の介装部と、
該介装部を当該曲面に沿って摺動可能に受けるべく介装部側に突出する曲面、および前記被固定部の被締め付け面に当接する平らな当接面を有し、前記軸部を通す貫通孔を有した座金部を備えた
自在固定装置。
【請求項２】
前記曲面が球面である
請求項１に記載の自在固定装置。
【請求項３】
前記ナット部が板状のナットで構成された
請求項１または請求項２に記載の自在固定装置。
【請求項４】
前記被固定部に形成された垂直なねじ孔に螺合される先鋭の位置決めボルトを備えた請求項１から請求項３のうちいずれか一項２に記載の自在固定装置。
【請求項５】
前記位置決めボルトに、測点となる目印が形成された
請求項３に記載の自在固定装置。
【請求項６】
アンカーボルトを立設するアンカーフレームにおける前記被固定部としてのベースプレートに固定孔が形成され、
該固定孔に、設置面に固定した前記軸部が挿通されるとともに、前記固定孔が前記軸部の直径よりも大径に形成され、
前記軸部に、前記座金部と介装部とナット部が挿通されて前記固定孔の周囲の前記被締め付け面が締め付けられる
請求項１から請求項５のうちいずれか一項に記載の自在固定装置を備えたアンカーフレーム。
【請求項７】
前記座金部と介装部とナット部が、前記固定孔の下面側と上面側に備えられる
請求項６に記載の自在固定装置を備えたアンカーフレーム。
【請求項８】
前記ねじ孔が、前記ベースプレートの中央位置に形成された
請求項６または請求項７に記載の自在固定装置を備えたアンカーフレーム。
【発明の詳細な説明】
【技術分野】
【０００１】
この発明は、たとえば板材などのような被固定部を固定するための固定装置に関し、より詳しくは、被固定部から突出したボルトが被固定部の被締め付け面に対して傾いていたとしても被固定部の固定が所望通りに行えるような自在固定装置に関する。
【背景技術】
【０００２】
アンカーボルトや各種の機器、看板、柵、束金物などの設置は、設置面に対して正しく行わなければならない。正しくとは、目的に応じて所望の状態になるようにすることであり、例えば前記例のアンカーボルトの場合には、アンカーボルトが所定位置に真っ直ぐに立つようにしなければならない。
【０００３】
このアンカーボルトの設置には、下記特許文献１に記載の装置が用いられている。この装置は、アングル材を組み合わせて構成された支持フレームで下端部が構成されたもので、この支持フレームの上方にアンカーボルトが立設される。
【０００４】
装置の設置に当たっては、設置面としての捨コンの上に支持フレームの下端面を面接触した状態で、打ち込みピンとナットとワッシャを有したセットアンカーを用いて固定するが、アンカーボルトを真っ直ぐに立てるには、支持フレーム自体が水平に正しく固定されなければならない。このため、支持フレームの下面と捨コンとの間に適宜厚の板状のスペーサを挟み込みながら、水平になるように調整する必要があった。
【０００５】
また、孔あけ時に孔が傾いてしまうこともあり、この結果、前記セットアンカーが傾いてしまうことがあって、安定した固定ができない場合がある。
【０００６】
この点、アンカーが真っ直ぐに挿入されなくても安定した固定状態を得ようとする固定用具が、下記特許文献２に開示されている。
【０００７】
この固定用具は、被連結部材に挿入されて抜け止めされる軸と、この軸側に設けられた軸側摺接部と、前記被連結部材に当接される当接部材と、この当接部材側に設けられた当接部材側摺接部とを有するものであって、前記軸側摺接部に凸球面が形成され、当接部材側摺接部にその凸球面を受ける凹球面が形成されて、相互間に隙間が開かない状態で摺接するように構成されたものである。この構成によって、軸部としてのアンカーが傾いていても、前記のように安定した固定状態が得られるとされている。
【先行技術文献】
【特許文献】
【０００８】
【特許文献１】特許第３９７３２９３号公報
【特許文献２】特開２００４−３４０２１１号公報
【発明の概要】
【発明が解決しようとする課題】
【０００９】
しかし、特許文献２のような固定用具は、当接部材側摺接部に凹球面を有するので、この凹球面にゴミなどが入り易く、入念に作業をしないと、摺接すべき部分に隙間ができて、安定した固定状態が得られないことがある。
【００１０】
また、前記アンカーフレームの設置に際しては、水平位置も正しく設定されなければならないところ、特許文献２のような固定用具を用いたとしても、軸としてのアンカーが傾くことによって被連結部材に形成された孔の位置も水平にずれてしまうので、正しい設置ができないおそれがあった。
【００１１】
そこで、この発明は、安定した固定状態を確実に得られるとともに、必要に応じて水平位置の調整も、水平出しも容易に行えるようにすることを主たる目的とする。
【課題を解決するための手段】
【００１２】
そのための手段は、被固定部から突出した軸部に螺合されるナット部と、該ナット部で締め付けられる被締め付け面を有するとともに、前記軸部の直径よりも大径の貫通孔を有した環状の介装部と、該介装部を当該曲面に沿って摺動可能に受けるべく介装部側に突出する曲面、および前記被固定部の被締め付け面に当接する平らな当接面を有し、前記軸部を通す貫通孔を有した座金部を備えた自在固定装置である。前記座金部の曲面と当接面はそれぞれ別部材で構成したものであるもよい。
【００１３】
ナット部を軸部に螺合して介装部の被締め付け面を締め付けると、介装部は、座金部の曲面上を適宜摺動し、安定した姿勢で座金部の曲面を押さえつけ、座金部の当接面が、被固定部の被締め付け面を締め付ける。
【００１４】
別の手段は、アンカーボルトを立設するアンカーフレームにおける前記被固定部としてのベースプレートに固定孔が形成され、該固定孔に、設置面に固定した前記軸部が挿通されるとともに、前記固定孔が前記軸部の直径よりも大径に形成され、前記軸部に、前記座金部と介装部とナット部が挿通されて前記固定孔の周囲の前記被締め付け面が締め付けられる請求項１から請求項５のうちいずれか一項に記載の自在固定装置を備えたアンカーフレームである。
【００１５】
前記のように被固定部の被締め付け面を締め付けて固定するが、前記ナット部と介装部と座金部を、被固定部の一方側の面ではなく他方側の面にも用いれば、被固定部の水平出しも、設置面に対して傾けての固定も、また水平位置の調整も、必要に応じて容易に行える。
【発明の効果】
【００１６】
この発明によれば、座金部と介装部との間で三次元的な変位が可能であるので、軸部が被固定部の被締め付け面に対して垂直であるか否かにかかわりなく固定できる。
【００１７】
しかも、座金部の曲面は介装部側に突出するものであり、介装部は環状であるので、凹球面を有する場合のようにゴミ等が入ることはなく、所望の固定状態が容易に得られる。
【図面の簡単な説明】
【００１８】
【図１】自在固定装置の斜視図。
【図２】自在固定装置を用いて固定したアンカーフレームの斜視図。
【図３】ナット部の作用状態を示す平面図。
【図４】介装部の他の例を示す断面図。
【図５】座金部の他の例を示す説明図。
【図６】自在固定装置を用いてアンカーフレームのプレート部材を固定する構造を示す分解斜視図。
【図７】自在固定装置を用いてアンカーフレームを固定する準備段階を示す斜視図。
【図８】自在固定装置を用いてアンカーフレームを固定する工程を示す斜視図。
【図９】自在固定装置を用いてアンカーフレームのプレート部材を固定した状態を示す斜視図。
【図１０】自在固定装置で固定されたプレート部材にアンカーボルトを固定する状態を示す分解斜視図。
【図１１】自在固定装置で固定されるプレート部材と位置決めボルトとアンカーボルトの斜視図。
【図１２】自在固定装置の作用状態を示す断面図。
【図１３】自在固定装置の作用状態を示す断面図。
【図１４】自在固定装置で固定される他の形態に係るアンカーフレームの斜視図。
【図１５】図１４のアンカーフレームの下部プレートの斜視図。
【図１６】図１４のアンカーフレームの下部プレートの固定状態の斜視図。
【図１７】図１４のアンカーフレームのアンカーボルトの固定構造を示す分解斜視図。
【図１８】図１４のアンカーフレームの上部プレートの固定構造を示す分解斜視図。
【図１９】自在固定装置で固定される他の形態に係るアンカーフレームの斜視図。
【図２０】図１９のアンカーフレームの下部プレートの斜視図。
【図２１】自在固定装置で固定される他の形態に係るアンカーフレームの斜視図。
【図２２】図２１のアンカーフレームの下部プレートの斜視図。
【図２３】他の例に係る位置決めボルトの斜視図。
【図２４】自在固定装置の他の例に係る作用状態を示す断面図。
【発明を実施するための形態】
【００１９】
この発明を実施するための一形態を、以下図面を用いて説明する。  
図１は自在固定装置１１の斜視図、図２はその使用状態の一例を示す斜視図である。
【００２０】
自在固定装置１１は、固定に用いられる軸部としてのボルト２１が被固定部３１の被締め付け面３２に対して垂直でなくても安定した固定ができるようにするもので、ナット部４１と介装部５１と座金部６１を有する。
【００２１】
前記ナット部４１は、前記ボルト２１の雄ねじ２２に螺合する雌ねじ４２を有しており、板状に形成されている。すなわち、中央に前記雌ねじ４２を有するねじ孔４３を有し、全体として略円板状に形成されている。そして、ナット部４１の外周縁の４箇所に、等間隔に突片４４が形成されている。突片４４は、回転しやすくするためのものである。
【００２２】
図３に示したように適宜の工具で回転できるように寸法や形状を設定することも可能である。たとえば図３（ａ）はスパナＸで回転できるように寸法が設定された例を示し、図３（ｂ）は、前記突片４４の先端を三角形に形成して、レンチＹで回転できるように寸法と形状が設定された例を示している。また、図示は省略するが、前記ねじ孔４３を有する中央部分の厚さを他の部分よりも、例えば片面凸レンズ状または両面凸レンズ状に厚くして、ねじ孔４３を長く形成することもできる。
【００２３】
前記介装部５１は、図１に示したように平面視円形で断面方形をなす環状に形成され、貫通孔５２を有している。貫通孔５２の大きさは、前記ボルト２１の直径よりも大きく設定され、上面又は下面のいずれか一方が、前記ナット部で締め付けられる被締め付け面５３である。この介装部５１の場合には、図４に示したように、断面形状を方形ではなく、前記被締め付け面５３の反対側の内周角部を切欠いて、この内周角部に、前記座金部６１に対して面接触する湾曲面５４を形成することもできる。
【００２４】
前記座金部６１は、前記介装部５１側に突出する凸球面６２と、前記被固定部３１の被締め付け面３２に当接する環状の平らな当接面６３と、前記ボルト２１を通す中央の貫通孔６４を有している。前記凸球面６２は、前記介装部５１が乗って三次元的に摺動したときに、前記貫通孔６４が介装部５１の上面（被締め付け面５３）より上に突出しないように、介装部５１との間で寸法が設定されている。また、前記貫通孔６４は、前記ボルト２１が傾斜することを許容するくらいにボルト２１の直径よりも若干大径に形成されている。
【００２５】
この座金部６１は、図５（ａ）に示したように、バネ性を有する線状体６５を前記座金部と同様の形状に渦巻状に巻回して形成することもできる。この場合には、前記貫通孔６４部分の変形が許容されるので、ボルト２１の径や傾きに対する対応の範囲が広がる。
【００２６】
また、図５（ｂ）に示したように、座金部６１は、凸球面６２を有する凸球面部材６６と、当接面６３を有し通常のワッシャと同様にドーナツ型に形成されたワッシャ部材６７とで構成することもできる。凸球面部材６６に設けられる貫通孔６４の径と、ワッシャ部材６７に設けられる貫通孔６７ａの径を同程度の大きさに形成する。この場合には、凸球面部材６６とワッシャ部材６７が相対移動してボルト２１の傾斜に対する追従性が向上する。
【００２７】
図５（ｃ）に示したように、前記座金部６１の当接面６３に、菊座状の凹凸６３ａを形成することもできる。この場合には、座金部６１の被締め付け面３２に対する接触抵抗が増し、良好な固定状態を得ることができる。
【００２８】
図５（ｄ）に示したように、前記座金部６１の凸球面６２は、円錐状の曲面６８であるもよい。この場合には、前記介装部５１が、径方向に変位可能な可撓性を有する材料で構成されると、介装部５１の摺動性と安定性が阻害されないのでよい。
【００２９】
以上のようなナット部４１と介在部５１と座金部６１を備えた自在固定装置１１を用いて図２に示したようなアンカーフレーム７１を固定する例を次に説明する。
【００３０】
図２に示したアンカーフレーム７１は、１本のアンカーボルト７２を建築の基礎（図示せず）の内部に設置するためのもので、設置面としての捨コン７３の上に浮かせた状態で固定される前記被固定部３１としてのプレート部材７４と、このプレート部材７４の中央に立設状態で固定される前記アンカーボルト７２と、前記プレート部材７４に貫通する軸部としてのボルト７５（２１）で構成される。このボルト７５は、捨コン７３に埋設されたナットアンカー７６に螺合され、立設状態に固定される。
【００３１】
なお、ナットアンカー７６ではなく、上側部分に雄ねじを有したボルトアンカー等の適宜の部材を用いて固定することもできる。
【００３２】
前記プレート部材７４は、図６に示したように４辺の長手方向の中間部に半円形の切欠７４ａが形成された方形板状に形成され、中央に、前記アンカーボルト７２を螺合して立設する垂直なアンカーボルト立設孔７４ｂが形成され、四隅には、前記ボルト７５を挿通する固定孔７４ｃが形成されている。アンカーボルト立設孔７４ｂには、図２に示したようにアンカーボルト７２の下端部に形成された雄ねじ７２ａが螺合する雌ねじ７４ｄが形成されている。また、前記固定孔７４ｃは、挿通する前記ボルト７５の直径よりも大きく形成されている。大きさは、ボルト７５が傾いていても前記プレート部材７４を捨コン７３の上方の所定位置に設置できるように、また水平方向での移動を許容するように考慮されている。
【００３３】
なお、前記固定孔７４ｃの周囲が前記被固定部３１の被締め付け部３２となる。また、プレート部材７４の上面には、縦横方向を示す十字状の目印７４ｅが刻設等の適宜の手段で設けられる。
【００３４】
前記アンカーボルト７２は、異形鉄筋で構成され、前記下端部の雄ねじ７２ａのほかに、図２に示したように、上端部にも雄ねじ７２ｂが形成されている。そして、アンカーボルト７２の長さは、形成する基礎の高さに応じて適宜設定され、アンカーボルト７２の上端面には、中心を示すための十字線からなる目印７２ｃが設けられている。また、アンカーボルト７２の下端の前記雄ねじ部７２ａには、前記プレート部材の固定のために２個の締め付けナット７７を備える（図１０、図１２参照）。
【００３５】
前記ボルト７５は、前記アンカーナット７６に下端部が螺合されるもので、いわゆるイモネジで構成される。ボルト７５の上端部には、回転操作の便宜のために平面部７５ａが形成されている。
【００３６】
このように構成されたアンカーフレーム７１の設置は次のように行われる。
【００３７】
まず、捨コン７３（設置面）の上の据付箇所に、図７に示したように墨出しをする。芯墨７８は、据付箇所の中央のアンカーボルト７２を立設する位置と、ナットアンカー７６を固定する位置に直線の交点ができるように行う。そして、ナットアンカー７６を固定すべき位置に下穴をあけてナットアンカー７６を固定し、ナットアンカー７６に前記ボルト７５の下端部を螺合する（図８参照）。
【００３８】
続いて、図８に示したようにボルト７５に対して、自在固定装置１１を保持する。自在固定装置１１は、１本のボルト７５に対して、プレート部材７４を上下に挟むように２組使用する。下の自在固定装置１１では、先にナット部４１を螺合し、次に介装部５１を挿嵌し、最後に凸球面６２を下にした座金部６１を挿嵌する。ナット部４１のボルト７５の軸方向での位置は、プレート部材７４を保持すべき所定の高さに保持できるように適宜設定しておく。所定の高さとは、形成する基礎のコンクリートが十分に入り込む隙間ができる高さである。
【００３９】
次に、図６に示した如く、前記プレート部材７４の固定孔７４ｃにボルト７５を挿通するようにプレート部材７４を降ろし、プレート部材７４の上から別の自在固定装置１１をボルトに保持する。このときの保持は、先の場合とは逆に、まず座金部６１をボルト７５に挿嵌し、次に介装部５１を挿嵌し、最後にナット部４１をボルト７５に螺合して行う。このとき、水準器を用いてプレート部材７４の水平を出すとともに、プレート部材７４の上面の目印７４ｅと芯墨７８を用いて適正な位置にプレート部材７４を保持する。プレート部材７４の上下の自在固定装置１１を締め付けることで、図９に示したようにプレート部材７４が捨コン７３の上に浮いた強固な固定状態が得られる。
【００４０】
この後、図１０に示したようにアンカーボルト７２の下端部の雄ねじ７２ａをプレート部材７４のアンカーボルト立設孔７４ｂにアンカーボルト７２の下端部を螺合し、プレート部材７４の上下両面において、前記締め付けナット７７で締め付けてアンカーボルト７２を立設し、アンカーボルト７２の上端面の高さが所定高さになるように調整する。
【００４１】
そして、トランシット等を用いて、複数のアンカーフレーム７１のアンカーボルト７２の通りを見るとともに、アンカーボルト７２の鉛直性を見る。そして、鉛直性が得られたことを確認し、必要ならば再度調整を行う。
【００４２】
このようにしてアンカーフレーム７１を据え付けた後、コンクリートの打設を行い、基礎が形成される。
【００４３】
前記プレート部材７４の保持後の作業が容易になるようにするためには、前記プレート部材７４の固定が正しく、容易に行われる必要があるので、前記プレート部材７４の固定に当たっては、図１１に示したように位置決めボルト８１を用いるとよい。
【００４４】
位置決めボルト８１は、アンカーボルト立設孔７４ｂに螺合可能な雄ねじ部８２と、この雄ねじ部８２の上端に回転力入力用の頭部８３を有した構造で、前記雄ねじ部８２の下端８２ａは、軸心部分が最も尖る先鋭な形状に形成されている。前記頭部８３は、全体として円板状で、外周部に四方に突出する突片８３ａが形成された、前記自在固定装置１１のナット部４１と同様の形状である。前記アンカーボルト立設孔７４ｂに螺合するので、このアンカーボルト立設孔７４ｂが位置決めボルト８１を螺合のための、この発明のねじ孔を兼ねる。
【００４５】
すなわち、前記プレート部材７４の保持に先立って、プレート部材７４のアンカーボルト立設孔７４ｂに、位置決めボルト８１を螺合する。螺合は、位置決めボルト８１の下端８２ａからプレート部材７４の下面までの高さが、プレート部材７４を保持すべき高さになるように調整しておく。そして、位置決めボルト８１の下端８２ａを、アンカーボルト７２を立設する位置の芯隅７８の交点Ｐに当てて、前記と同様に、プレート部材７４の上下に配設される自在固定装置１１によって、プレート部材７４を水平で、且つ正しい水平位置に固定する。
【００４６】
位置決めボトル８１がプレート部材７４の高さを規制し、しかも、アンカーボルト７２の立設位置を定めるものであるため、自在固定装置１１による固定作業が簡易迅速に行える。また、アンカーボルト７２の立設が正しい位置に正確に行える。
【００４７】
上下の自在固定装置１１によってプレート部材７４を固定した後は、位置決めボルト８１をアンカーボルト立設孔７４ｂから外して、図１０に示したように、アンカーボルト７２をアンカーボルト立設孔７４ｂに立設状態で固定する。取り外した位置決めボルト８１は、再度、自在固定装置１１を用いての他の固定を行うときに使用される。
【００４８】
図１２に示したように、プレート部材７４が捨コン７３の表面の状態にかかわらず水平に保持でき、しかも、正しい水平位置に固定される。この結果、プレート部材７４に立設されるアンカーボルト７２も所定位置に正しく固定される。
【００４９】
図１２は、ナットアンカー７６を本来あるべき真っ直ぐに固定した状態を示している。このようにアンカーナット７６が捨コン７３に対して真っ直ぐに固定されれば、ボルト７５は鉛直上向きに真っ直ぐ立設されることになるので、アンカーボルト７２も必然的に適切に設置されることになる。
【００５０】
また、図１３に示したようにナットアンカー７６が真っ直ぐに固定されない場合でも、前記自在固定装置１１を用いた前記プレート部材７４の固定では、プレート部材７４は水平に、しかも正しい水平位置に固定できる。図１３中、二点鎖線は鉛直方向を、一点鎖線はボルト７５の芯方向を示している。
【００５１】
すなわち、プレート部材７４の固定孔７４ｃはボルト７５の直径よりも大径で、ボルト７５が傾いた状態で挿通されるのを許容する。また、自在固定装置１１のナット部４１をボルト７５に螺合して介装部５１の被締め付け面５３を締め付けると、介装部５１は、座金部６１の凸球面６２上を適宜摺動し、安定した姿勢で座金部６１の凸球面６２を押さえつけ、座金部６１の当接面６３が、被固定部３１たるプレート部材７４の被締め付け面３２（固定孔７４ｃの周囲）を締め付ける。前記凸球面６２は球面であり、介装部５１は環状であるので、摺動は自在に且つ円滑に行える。
【００５２】
したがって、座金部６１と介装部５１との間で三次元的な変位が可能であり、ナット部４１はあくまでもボルト７５に対して一定の姿勢のまま、その締め付け力を安定して座金部６１の当接面６３に作用させるので、ボルト７５がプレート部材７４の被締め付け面３２に対して垂直であるか否かにかかわりなく固定できる。この結果、前記のようにプレート部材７４を水平に保持することができ、しかも水平位置を正しく固定することができる。すなわち、捨コン７３に不陸があるなどした場合であっても、アンカーボルト２１を正確な位置に鉛直上向きに正しく立てることができる。
【００５３】
このような効果を有するので、ナットアンカー７６等の固定のための下孔をあける作業が、これまでよりも容易に行えるという効果も有する。
【００５４】
また、ナット部４１は板状に形成されているので、自在固定装置の高さを低くすることができきる。
【００５５】
しかも、座金部６１の凸球面６２は介装部５１側に突出するものであり、その介装部５１側の凸球面６２にたとえゴミが接触しても溜まることはなく、また介装部５１は環状であるので、凹球面で三次元的な変位を可能とする構造のように固定状態が阻害されるおそれはなく、所望の固定状態が容易に得られる。
【００５６】
また、前記位置決めボルト８１を用いることで、プレート部材７４の位置、ひいてはアンカーボルト７２を立設する位置を正しく定めることができる。しかも、プレート部材７４の高さも同時に正しく設定できるので、作業性は良好で、単純工でも容易に所望の固定ができる。
【００５７】
さらに、図示例のアンカーフレーム７１では、垂直に延びるのはアンカーボル７２のみであるので、横筋などの配筋作業に際して邪魔になるものがなく、作業がし易い。しかも、コンクリートの打設に必要なあきを確保することも確実にでき、強固な基礎を形成できる。
【００５８】
加えて、アンカーフレーム７１のプレート部材７４は、板状に形成され設置面から浮かして設置されるので、コンクリートがプレート部材７４材の下方にも入り込み、他に定着座金のような部材を用いずとも、アンカーボルト７２に異形鉄筋を用いたことと相俟って、引き抜き耐力の高いアンカーとすることができる。別の部材の取り付けが不要なぶん、作業も簡単である。
【００５９】
また、プレート部材７４は板状であるので、製造は容易であり、嵩張らずに梱包することもできる。さらに前述のように現場での組立ても容易である。このため、製造から流通、施工におけるコストを低減できる。
【００６０】
以下、別の形態のアンカーフレームを固定する例を示す。この説明において、先の例と同一又は同等の部位については、同一の符号をしてその詳しい説明を省略する。
【００６１】
図１４に示したアンカーフレーム７１は、２本のアンカーボルト７２を建築の基礎の内部に設置するためのもので、捨コン７３の上に浮かせた状態で固定される略長円形状のプレート部材７４と、このプレート部材７４の中央を挟む２位置に立設状態で固定される前記アンカーボルト７２と、アンカーボルト７２の上端部に固定される上部プレート７９と、前記プレート部材７４に貫通するボルト７５で構成される。
【００６２】
前記プレート部材７４は、図１５に示したように略長円形板状をなし、長手方向の中間部の両辺に、短手方向の中間位置を挟んで２個ずつの略円形の切欠７４ａが形成されている。これらの切欠７４ａの存在によって、短手方向の両端に突片７４ｆを有するような形態となる。これらの突片７４ｆと、長手方向の両端部に、前記固定孔７４ｃが形成されている。これら４個の固定孔７４ｃのうち長手方向の２個の固定孔７４ｃと短手方向の２個の固定孔７４ｃは、それぞれ中央から等距離にある。
【００６３】
また、プレート部材７４の中央には、前記位置決めボルト８１を螺合するねじ孔７４ｇが形成され、さらに、このねじ孔７４ｇを挟む長手方向における両側には、ねじ孔７４ｇから等距離の位置に、前記アンカーボルト７２を立設するためのアンカーボルト立設孔７４ｂが形成されている。アンカーボルト立設孔７４ｂは、複数種類の太さのアンカーボルト７２を使用できるようにするため、必要な限度において最も大きい大きさに形成される。
【００６４】
さらに、プレート部材７４の表面には、長手方向と短手方向を示す目印７４ｅが刻設等により形成されるとともに、打ち出しにより補強リブ７４ｈが形成されている。
【００６５】
前記上部プレート７９は、基本的に前記プレート部材７４と同様の形態に形成されるが、前記固定孔７４ｃは有さず、アンカーボルト７２の上端部を固定するための固定孔７９ａが形成される（図１８参照）。固定孔７９ａの大きさは、プレート部材７４のアンカーボルト立設孔７４ｂと同一である。また、長手方向及び短手方向の長さは、下部プレートの場合よりも若干長く設定して、下げ振りＺ（図１４参照）を使用しやすいように考慮している。
【００６６】
図１４、図１８中、７９ｂは切欠、７９ｃは突片、７９ｄは目印、７９ｅは補強リブである。
【００６７】
このように構成されたアンカーフレーム７１の設置は次のように行われる。  
まず、捨コン７３の上の据付箇所に、図１５に示したように墨出しをする。芯墨７８は、据付箇所の中央と、アンカーボルト７２を立設する位置と、ナットアンカー７６を固定する位置に直線の交点ができるように行う。そして、ナットアンカー７６を固定すべき位置にナットアンカー７６を固定し、ナットアンカー７６に前記ボルト７５の下端部を螺合する。その後、図１５に示したように、プレート部材７４の中央のねじ孔７４ｇに位置決めボルト８１を螺合して、この位置決めボルト８１を利用して、図１６に示したように、前記の如く自在固定装置１１を用いてプレート部材７４を、所定位置に、水平状態で固定する。
【００６８】
位置決めボルト８１はプレート部材７４の中央に保持され、４個の固定孔７４ｃと２個のアンカーボルト立設孔７４ｂは、位置決めボルトから所定の距離に位置することになるので、位置決めボルト８１で位置を設定することで、すべての孔が所望の位置に、容易に位置決めされる。位置決めボルト８１の位置がプレート部材７４の中央であるので、位置決めボルト８１の下端８２ａを合わせる作業も容易である。補強リブ７４ｈの存在によってプレート部材７４の変形を防止できることからも、この効果は確実なものとなる。
【００６９】
この後、プレート部材７４から位置決めボルト７５を外して、図１７に示したように、プレート部材７４のアンカーボルト立設孔７４ｂにアンカーボルト７２の下端部を固定する。固定に当たっては、アンカーボルト７２の径がアンカーボルト立設孔７４ｂの径よりも小さい場合には、外径ｄ１が同一だが内径ｄ２が異なる複数種類のアジャスタリング８０をアンカーボルト立設孔７４ｂの内部に嵌めてアンカーボルト７２の固定を行う。
【００７０】
アジャスタリング８０は、プレート部材７４の厚さと同一で、外径ｄ１はアンカーボルト立設孔７４ｂに嵌合対応するように設定され、内径ｄ２はアンカーボルト７２の下端部に嵌合対応するように設定されている。使用するアンカーボルトの径に応じた種類のアジャスタリング８０が備えられる。
【００７１】
アンカーボルト７２の固定は、前記のように上下の締め付けナット７７で挟み込むようにして行う。このため、前記締め付けナット７７には、アンカーボルト立設孔７４ｂの径よりも大きいものが使用される。
【００７２】
２本のアンカーボルト７２を立設した後は、これらアンカーボルト７２の上端部に、図１８に示したように、前記上部プレート７９を固定する。この場合も、所定の高さにおいて水平を出す。また、この上部プレート７９の固定も、プレート部材７４に対するアンカーボルト７２の固定と同様に、アジャスタリング８０と上下２個の締め付けナット７７を用いて行う。上部プレート７９を固定するときには、図１４に仮想線で示したように、下げ振りＺを用いて、アンカーボルト７２の建ちを正しく調整する。
【００７３】
この上部プレート７９は、コンクリートの打設の後、取り外して、前記位置決めボルト８１と同様に、再度使用される。
【００７４】
前記と同様に、前記ボルト７５と自在固定装置１１によってプレート部材７４が固定されるので、プレート部材７４は捨コン７３の表面の状態にかかわらず水平に保持でき、しかも、正しい水平位置に固定される。しかも、位置決めボルト８１によって作業が簡単になる。この結果、プレート部材７４に立設されるアンカーボルト７２は、上部プレート７９の作用もあって、所定位置に正しく固定される。しかも、作業は容易である。
【００７５】
図１９に示したアンカーフレーム７１は、４本のアンカーボルト７２を建築の基礎の内部に設置するためのもので、捨コン７３の上に浮かせた状態で固定される略正方形状のプレート部材７４と、このプレート部材７４の中央を挟む４位置に立設状態で固定される前記アンカーボルト７２と、アンカーボルト７２の上端部に固定される上部プレート７９と、前記プレート部材７４に貫通するボルト７５で構成される。
【００７６】
前記プレート部材７４は、図２０に示したように略正方形板状をなし、４辺の長手方向の中間部の大きな円弧状の切欠７４ａが形成されている。そして四隅に、前記固定孔７４ｃが形成されている。これら４個の固定孔７４ｃは、それぞれ中央から等距離にある。
【００７７】
また、プレート部材７４の中央には、前記位置決めボルト８１を螺合するねじ孔７４ｇが形成されている。さらに、このねじ孔７４ｇを挟む対角線上のねじ孔７４ｇから等距離の位置（具体的には前記固定孔７４ｃの内側）に、前記アンカーボルト７２を立設するためのアンカーボルト立設孔７４ｂが形成されている。アンカーボルト立設孔７４ｂも前記と同様、複数種類の太さのアンカーボルトを使用できるようにするため、必要な限度において最も大きい大きさに形成される。
【００７８】
図中７４ｉは、略方形状をなす４個の窓部であり、この窓部７４ｉは、コンクリートが十分に入り込む大きさに形成されている。
【００７９】
前記上部プレート７９は、基本的に前記プレート部材７４と同様の形態に形成されるが、図１８に示した上部プレート７９の場合と同様に、前記固定孔７４ｃは有さず、アンカーボルト７２の上端部を固定するための固定孔７９ａが形成される。また、４辺の長手方向の中間部を、外周側に若干突出させて、下げ振りを使用しやすいように考慮している。図１８中、７９ｆは窓部である。
【００８０】
このように構成されたアンカーフレーム７１の設置は次のように行われる。
【００８１】
まず、捨コン７３の上の据付箇所に、図２０に示したように墨出しをする。芯墨７８は、据付箇所の中央と、アンカーボルト７２を立設する位置と、ナットアンカー７６を固定する位置に直線の交点ができるように行う。そして、ナットアンカー７６を固定すべき位置にナットアンカー７６を固定し、ナットアンカー７６に前記ボルト７５の下端部を螺合する。その後、図２０に示したように、プレート部材７４の中央のねじ孔７４ｇに位置決めボルト８１を螺合して、この位置決めボルト８１を利用して、前記のように自在固定装置１１を用いてプレート部材７４を、所定位置に、水平状態で固定する。
【００８２】
位置決めボルト８１はプレート部材７４の中央に保持され、４個の固定孔７４ｃと４個のアンカーボルト立設孔７４ｂは、位置決めボルト８１から所定の距離に位置することになるので、位置決めボルト８１で位置を設定することで、すべての孔が所望の位置に、容易に位置決めされる。位置決めボルト８１の位置がプレート部材７４の中央であるので、位置決めボルト８１の下端８２ａを合わせる作業も容易である。
【００８３】
この後、プレート部材７４から位置決めボルト８１を外して、プレート部材７４のアンカーボルト立設孔７４ｂにアンカーボルト７２の下端部を固定する。固定に当たっては、前記と同様に、アンカーボルトの径がアンカーボルト立設孔７４ｂの径よりも小さい場合には、前記アジャスタリング８０をアンカーボルト立設孔７４ｂの内部に嵌めてアンカーボルト７２の固定を行う。
【００８４】
４本のアンカーボルト７２を立設した後は、これらアンカーボルト７２の上端部に、図１９に示した如く前記と同様に、前記上部プレート７９を固定する。
【００８５】
このようなアンカーフレーム７１を固定する場合も、自在固定装置１１によってプレート部材７４は捨コンの表面の状態にかかわらず水平に、しかも、正しい水平位置に固定されるので、プレート部材７４に立設されるアンカーボルト７２は、上部プレート７９の作用もあって、所定位置に正しく固定される。しかも、作業は容易である。
【００８６】
図２１に示したアンカーフレーム７１は、８本のアンカーボルト７２を建築の基礎の内部に設置するためのものである。プレート部材７４に８個のアンカーボルト立設孔７４ｂを有し、上部プレート７９に８個の固定孔７９ａを有する以外は、図１９に示したアンカーフレーム７１と略同一の構成である。アンカーボルト立設孔７４ｂと固定孔７９ａは、四隅のほか、４辺の中間位置に形成される。設置方法なども同様であるので、詳しい説明は省略する。
【００８７】
図２３は、前記位置決めボルト８１の他の例を示す。これらに示したように、位置決めボルト８１は、適宜の形態に形成できる。図２３（ａ）は、前記と同一の構成の位置決めボルトの頭部上面に、トランシット等を使用したときの側点となる十字状の目印８４が形成された例である。このように目印８４が形成されると、複数個のアンカーフレーム７１の設置位置を、トランシットや光波測距儀により、正しく設定することができる。このほか、図２３（ｂ）の位置決めボルト８１のように側面に軸方向に沿った線状の目印８４を刻印や塗装で形成したり、図２３（ｃ），（ｄ）の位置決めボルト８１のように、軸方向に沿った線が現れる形態にして線状の目印８４を形成したりしてもよい。前記塗装には、蛍光塗料によるものも含む。
【００８８】
なお、前記の例では、自在固定装置１１の使用例として、アンカーフレーム７１を固定する場合の例のみを示したが、例えば図２４に示したように、その他の様々な固定に使用できる。図２４（ａ）中、９１は板状の被固定部で、９２はボルトアンカーである。図２４（ｂ）中、９３，９４は木材等の被固定部で、９５は軸部としてのボルトである。一方の被固定部９３の表面（被締め付け面３２）は傾斜しており、ボルト９５の軸心方向と垂直ではないが、自在固定装置１１の作用によって、強固に締め付けて固定することができる。
【００８９】
この発明の構成と、前記一形態の構成との対応において、  
この発明の軸部は、前記ボルト２１，７５，９５，ボルトアンカー９２に対応し、  
以下同様に、  
被固定部は、被固定部３１，９１，９３，９４、プレート部材７４に対応し、  
ベースプレートは、プレート部材７４に対応し、  
曲面は、凸球面６２、円錐状の曲面６８に対応し、  
設置面は、捨コン７３に対応し、  
ねじ孔は、ねじ孔７４ｇ、図１１のプレート部材７４のアンカーボルト立設孔７４ｂに対応するも、  
この発明は、前記構成のみに限定されず、その他の形態を採用することもできる。
【００９０】
たとえば、ナット部に、一般的な六角ナットなどを用いてもよい。
【符号の説明】
【００９１】
１１…自在固定装置
２１…ボルト
３１…被固定部
３２…被締め付け面
４１…ナット部
５１…介装部
５２…貫通孔
５３…被締め付け面
６１…座金部
６２…凸球面
６３…当接面
６４…貫通孔
６８…円錐状の曲面
７１…アンカーフレーム
７２…アンカーボルト
７３…捨コン
７４…プレート部材
７４ｃ…固定孔
７４ｇ…ねじ孔
７５…ボルト
８１…位置決めボルト
８４…目印
９１，９３，９４…被固定部
９２…ボルトアンカー
【図１】
2011052487.tif 000003
【図２】
2011052487.tif 000004
【図３】
2011052487.tif 000005
【図４】
2011052487.tif 000006
【図５】
2011052487.tif 000007
【図６】
2011052487.tif 000008
【図７】
2011052487.tif 000009
【図８】
2011052487.tif 000010
【図９】
2011052487.tif 000011
【図１０】
2011052487.tif 000012
【図１１】
2011052487.tif 000013
【図１２】
2011052487.tif 000014
【図１３】
2011052487.tif 000015
【図１４】
2011052487.tif 000016
【図１５】
2011052487.tif 000017
【図１６】
2011052487.tif 000018
【図１７】
2011052487.tif 000019
【図１８】
2011052487.tif 000020
【図１９】
2011052487.tif 000021
【図２０】
2011052487.tif 000022
【図２１】
2011052487.tif 000023
【図２２】
2011052487.tif 000024
【図２３】
2011052487.tif 000025
【図２４】
2011052487.tif 000026